(57)【特許請求の範囲】
【請求項１】
連結対象であるそれぞれの鉄筋側の端部に逆ネジの関係に形成された各雌ネジ部に対して螺合可能に形成された雄ネジ部を両側に有し、かつそれらの雄ネジ部の中間部に適宜角数からなる多角形部を形成したボルト軸部と、前記多角形部に移動可能に嵌合し得る多角口部を有し、かつ外周面に締付部が形成された締付リング部とから構成され、前記ボルト軸部の多角形部と締付リングの多角口部との相対移動可能な嵌合を介して締付回転力を伝達し得るように構成するとともに、前記締付リングの両側端面の多角口部周縁部をそれぞれ塑性変形させて前記ボルト軸部の多角形部の両側端面に係止可能なストッパ部を形成し、前記ボルト軸部の多角形部をそれらのストッパ間に移動可能に閉込めたことを特徴とする鉄筋連結用中継ぎボルト。
【発明の詳細な説明】
【０００１】
【発明の属する技術分野】
本発明は、鉄筋の端部相互間を連結するために使用される鉄筋連結用中継ぎボルトに関する。
【０００２】
【従来の技術】
従来、この種の鉄筋の連結手段として、連結対象であるそれぞれの異形鉄筋の端部に金属製の短管からなる接続スリーブの一側を塑性変形によって固着し、それらの接続スリーブの他側に互いに逆ネジの関係の雌ネジを形成するとともに、それらの双方の雌ネジに螺合し得る逆ネジの雄ネジを両側に形成し、中央に六角形からなる締付部を形成した中継ぎボルトを用意しておき、前記両接続スリーブの雌ネジと中継ぎボルトの雄ネジをそれぞれ螺合させて締付けることにより両異形鉄筋を連結するという技術手段が広く知られている（特公昭５３−７７３２号公報）。また、中継ぎボルトをボルト軸部分と締付リング部分とに分離構成し、かつそれらをボルト軸線方向にのみ移動可能に組合わせることにより、締付時に前記締付リング部が両異形鉄筋の端部相互間の中央部に移動して均一な締付状態が得られるように構成するとともに、さらに前記ボルト軸部と締付リング部とを離脱できないように構成し、一方部材の紛失や使用時の締付リング部の脱落を防止するという技術手段が開示されている（実公平３−４７０５０号公報、実公平３−４７０５１号公報）。
【０００３】
【発明が解決しようとする課題】
ところで、前者の従来技術においては、六角形の締付部がボルト軸部と一体に形成されていたため、締付時において一方の鉄筋の端部が締付部の端面に当接した以降は、その鉄筋自体の回転を伴わずに他方の鉄筋に対する締付はできないという欠点があった。これに対して、後者の従来技術は、締付リング部をボルト軸線方向に移動可能に構成することにより前記欠点を解消したものであるが、締付リング部に加えられる締付回転力の伝達がボルト軸部側に付設されたトルクコントロール軸からなるピン状部材を介して行うように構成されていたため、前記締付回転力の伝達がそのピン状部材の部分に局部的に集中することになるため、特に締付リング部とボルト軸部との嵌合精度がよくない場合などには、締付回転力によって締付リング部とボルト軸部との軸心がずれて接触部が一方へ偏り、食付き現象を引き起したり、締付リング部のスムーズな移動が害されるなどの不具合を生じやすいといった問題があった。
【０００４】
本発明は、このような従来技術の問題点を解決するためになされたもので、締付回転力の伝達部をボルト軸部を中心に複数箇所に分散し、かつ締付リングとボルト軸部との接触面積を増やすことにより、ボルト軸部への回転力の伝達及び締付リングの移動機能を改善し、これにより鉄筋の連結作業の容易化及び確実性を促進し、延いては締付リング部とボルト軸部の加工精度に対する適応範囲の広い中継ぎボルトを提供することを目的とするものである。
【０００５】
【課題を解決するための手段】
本発明は、前記課題を解決するため、連結対象であるそれぞれの鉄筋側の端部に逆ネジの関係に形成された各雌ネジ部に対して螺合可能に形成された雄ネジ部を両側に有し、かつそれらの雄ネジ部の中間部に適宜角数からなる多角形部を形成したボルト軸部と、前記多角形部に移動可能に嵌合し得る多角口部を有し、かつ外周面に締付部が形成された締付リング部とから中継ぎボルトを構成し、前記ボルト軸部の多角形部と締付リングの多角口部との相対移動可能な嵌合を介して締付回転力を伝達し得るように構成するとともに、前記締付リングの両側端面の多角口部周縁部をそれぞれ塑性変形させて前記ボルト軸部の多角形部の両側端面に係止可能なストッパ部を形成し、前記ボルト軸部の多角形部をそれらのストッパ間に移動可能に閉込めたことを特徴とする。
【０００６】
【発明の実施の形態】
前記ボルト軸部に形成する多角形部の角数は、三角以上の適宜の角数が適用可能である。締付リングに形成される多角口部の角数は、前記多角形部に嵌合される関係上、少なくともその多角形部と同数以上の角数に設定され、例えば多角形部の倍数の角数も選択が可能である。なお、それらのボルト軸部の多角形部及び締付リングの多角口部は、必ずしも厳密な多角形に形成される必要はなく、それぞれの角部で係合して締付回転力を伝達し得るものであれば、各角部間の平面部の形状の多少の変形は可能である。また、締付リングの外周面に形成される締付部としては、締付リングの外形を六角形などの適宜の多角形に形成して締付部とすることが一般的であるが、他の締付形態でも構わない。
【０００７】
前記ボルト軸部に形成する多角形部や締付リングの幅は、場合に応じて適宜の寸法に設定すればよい。その場合、重要なことは、前記締付リングを介して行われる締付作業の過程において、その締付リングのボルト軸部に対する相対的な移動が制限されるようなものであってはならないということと、鉄筋側の端面と締付リングの両端面との接合に支障の出るようなものであってはならないということである。
【０００８】
【実施例】
以下、図面を用いて本発明の実施例に関して説明する。図１〜図４は本発明の実施例を示したものである。図中、１０は本実施例における中継ぎボルトを示したもので、ボルト軸部１１と締付リング部１２とから構成されている。ボルト軸部１１の両側には右ネジからなる雄ネジ部１１ａと左ネジからなる雄ネジ部１１ｂがそれぞれ形成されるとともに、それらの中間部には六角形からなる多角形部１３が形成されており、その多角形部１３を前記締付リング部１２に形成された六角形からなる多角口部１４内に移動可能に嵌合することにより、締付リング部１２に加えられる締付回転力をボルト軸部１１に伝達するように構成されている。そして、使用に際しては、一方の右ネジからなる雄ネジ部１１ａに対して一方の鉄筋の端部に固着された接続スリーブに形成された右ネジからなる雌ネジが螺合されるとともに、他方の左ネジからなる雄ネジ部１１ｂに対して他方の鉄筋の端部に固着された接続スリーブに形成された左ネジからなる雌ネジが螺合され、それらの螺合状態において、前記締付リング部１２を介してボルト軸部１１を締付方向に回転することにより、両側の接続スリーブを介して両側の鉄筋を締付リング部１２側に引付けて固定することによって、それらの両側の鉄筋を連結することになる。なお、前記雄ネジ部１１ａ，１１ｂのネジ外径Ｄ１は、多角口部１４の平行面間の間隔Ｗより小さく形成される。
【０００９】
しかして、本実施例の中継ぎボルト１０の形成に当っては、ボルト軸部１１の両側の雄ネジ１１ａ，１１ｂは、共に予め形成しておく。その場合、雄ネジ１１ａ，１１ｂのネジ形成方法は、必ずしも転造手段にこだわる必要はない。図１に示したように、ボルト軸部１１の多角形部１３を締付リング部１２の多角口部１４内に移動可能にゆるく嵌合した後、図３の側面図及び図４のＡ−Ａ拡大断面図に示したように、締付リング部１２に形成された多角口部１４の両側周縁部を、例えば直径Ｄ２のプレス面を有する図示しないプレス手段等を用いて塑性変形させ、多角口部１４の両端周縁部に前記多角形部１３が係止し得る内方に突出変形したストッパ部１５，１６を形成する。本実施例は、それらのストッパ部１５，１６相互間に前記多角形部１３を閉込めることにより、締付リング部１２のボルト軸部１１からの抜出しを阻止して両者を一体化するように構成したものである。なお、図中、１７はプレスによる凹部である。
【００１０】
【発明の効果】
本発明によれば、次の効果を得ることができる。
（１）ボルト軸部の多角形部と締付リングの多角口部との相対移動可能な嵌合によって、締付回転力の伝達部をボルト軸部の周りに分散した結果、ボルト軸部が周囲の複数箇所から回転されるので、そのボルト軸線を中心とした確実な回転力の伝達が可能である。
（２）締付リング部とボルト軸部との間に多少のガタが存在しても、従来のように一方へ偏って食付き現象を引き起すことなく、ボルト軸線を中心に回転力が加わるので、より確実な締付作用が得られる。したがって、加工精度に対する適応範囲が広くなる。
（３）締付リング部とボルト軸部との当接部がボルト軸部の周囲に複数箇所形成され、その接触面積が増加されるので、より大きな締付力に対応できる。また、前記当接部の接触面積が大きいことから、締付リングのボルト軸方向の移動もきわめてスムーズであり、この点からも加工精度に対する適応性が拡がる。
（４）締付リングの多角口部周縁部の塑性変形によるストッパ部の形成により、簡便にボルト軸部と締付リング部とを一体化することができ、一方部材の紛失や連結作業時における両部材の離脱を防止できる。
【図面の簡単な説明】
【図１】  本発明の一実施例を示した縦断面図である。
【図２】  同実施例の側面図である。
【図３】  ストッパ部形成後の状態を示した同側面図である。
【図４】  図３中のＡ−Ａ拡大断面図である。
【符号の説明】
１０…中継ぎ用ボルト、１１…ボルト軸部、１２…締付リング部、１３…多角形部、１４…多角口部、１５，１６…ストッパ部、１７…凹部
【図１】
0003763891.tif 000002
【図２】
0003763891.tif 000003
【図３】
0003763891.tif 000004
【図４】
0003763891.tif 000005